(57)【要約】【課題】記録媒体上での記録方法が規定されていないストリーム形式を判定するための情報を当該記録媒体上の所定の領域に記録できるようにする。【解決手段】記録再生装置１０は、入力ストリームを記録媒体１８に書き込んで記録する記録媒体書込制御部１７と、入力ストリームが予め定められた形式のストリームであるかどうか判定するストリーム情報解析部１３とを備える。記録媒体書込制御部１７は、ストリーム情報解析部１３により入力ストリームが予め定められた形式のストリームであると判定された場合、その形式のストリームを記録することを示す管理情報を記録媒体１８に書き込む。記録再生装置１０は、前記管理情報に基づいて各種機能（表示機能、編集機能、再生機能、出力機能、ダビング機能など）の制御を実行可能とする。【選択図】図１
2008251158.tif 000002
【特許請求の範囲】
【請求項１】
コンテンツのストリームを記録／再生する記録再生装置において、
入力ストリームを記録媒体に書き込んで記録する記録媒体書込制御手段と、前記入力ストリームが予め定められた形式のストリームであるかどうか判定する判定手段とを備え、
前記記録媒体書込制御手段は、前記判定手段により前記入力ストリームが予め定められた形式のストリームであると判定された場合、その形式のストリームを記録することを示す管理情報を前記記録媒体に書き込むことを特徴とする記録再生装置。
【請求項２】
請求項１に記載の記録再生装置において、前記記録媒体書込制御手段は、前記管理情報を前記記録媒体の所定の領域に書き込むことを特徴とする記録再生装置。
【請求項３】
コンテンツのストリームを記録／再生する記録再生装置において、
ストリームと該ストリームに関する管理情報とを記録した記録媒体と、該記録媒体に記録されている管理情報に基づいてストリームの種別を判定する判定手段とを備え、
前記判定手段は、前記記録媒体に記録されているストリームの種別として、予め定められた形式で入力されたストリームであるかどうかを判定することを特徴とする記録再生装置。
【請求項４】
コンテンツのストリームを記録／再生する記録再生装置において、
ストリームと該ストリームに関する管理情報とを記録した記録媒体と、該記録媒体に記録されている管理情報に基づいてストリームの種別を判定する判定手段とを備え、
前記判定手段は、前記記録媒体に記録されているストリームの種別として、入力ストリームから映像ストリームと音声ストリームのみからなるストリームに変換されたストリームであるか、入力ストリームから変換されていないストリームであるかを判定することを特徴とする記録再生装置。
【請求項５】
請求項３又は４に記載の記録再生装置において、前記管理情報は、前記記録媒体の所定の領域に記録されていることを特徴とする記録再生装置。
【請求項６】
請求項３乃至５のいずれか１に記載の記録再生装置において、前記判定手段による判定結果に基づいて、ストリームに関する情報を表示する表示機能、ストリームを編集する編集機能、ストリームを再生する再生機能、ストリームを外部に出力する出力機能、ストリームをダビングするダビング機能のいずれか１又は複数の機能を制御する機能制御手段を備えていることを特徴とする記録再生装置。
【請求項７】
請求項６に記載の記録再生装置において、前記機能制御手段は、前記判定手段により前記ストリームが予め定められた形式で入力されたストリームであると判定された場合、前記表示機能を制御して、前記判定結果を示す情報を画面上に表示することを特徴とする記録再生装置。
【請求項８】
請求項６に記載の記録再生装置において、前記機能制御手段は、前記判定手段により前記ストリームが予め定められた形式で入力され且つ入力時から変換されていないストリームであると判定された場合、前記表示機能を制御して、前記ストリームに含まれるタイムコードを画面上に表示することを特徴とする記録再生装置。
【請求項９】
請求項６に記載の記録再生装置において、前記機能制御手段は、前記判定手段により前記ストリームが予め定められた形式で入力され且つ入力時から変換されていないストリームであると判定された場合、前記表示機能を制御して、前記ストリームに含まれる該ストリームを記録したときの日時情報を画面上に表示することを特徴とする記録再生装置。
【請求項１０】
請求項６に記載の記録再生装置において、前記機能制御手段は、前記判定手段により前記ストリームが予め定められた形式で入力され且つ入力時から変換されていないストリームであると判定された場合、前記編集機能を制御して、前記ストリームへの編集を禁止することを特徴とする記録再生装置。
【請求項１１】
請求項６に記載の記録再生装置において、前記ストリームは、該ストリームの属性データを保持する補助ストリームを有し、前記機能制御手段は、前記判定手段により前記ストリームが予め定められた形式で入力され且つ入力時から変換されていないストリームであると判定された場合、前記編集機能を制御して、前記予め定められた形式に合致するように前記補助ストリームを修正しながら前記ストリームの編集を行うことを特徴とする記録再生装置。 
【請求項１２】
請求項６に記載の記録再生装置において、前記機能制御手段は、前記判定手段により前記ストリームが予め定められた形式で入力され且つ入力時から変換されていないストリームであると判定された場合、前記再生機能を制御して、前記ストリームに含まれるタイムコードの再生位置情報に基づいて前記ストリームの再生を行うことを特徴とする記録再生装置。
【請求項１３】
請求項６に記載の記録再生装置において、前記機能制御手段は、前記判定手段により前記ストリームが予め定められた形式で入力されたストリームであると判定された場合、前記出力機能を制御して、前記ストリームの外部への出力を禁止することを特徴とする記録再生装置。
【請求項１４】
請求項６に記載の記録再生装置において、前記機能制御手段は、前記ストリームの出力先となる機器が前記予め定められた形式のストリームに対応しているかどうか判定可能とし、前記判定手段により前記ストリームが予め定められた形式で入力され且つ入力時から変換されていないストリームであると判定された場合、前記出力機能を制御して、前記予め定められた形式のストリームに対応した機器以外への出力を禁止することを特徴とする記録再生装置。
【請求項１５】
請求項６に記載の記録再生装置において、前記ストリームは、該ストリームの属性データを保持する補助ストリームを有し、前記機能制御手段は、前記判定手段により前記ストリームが予め定められた形式で入力されたストリームであると判定された場合、前記出力機能を制御して、前記補助ストリームを修正あるいは生成することにより、前記予め定められた形式に合致するように前記ストリームを変換して出力することを特徴とする記録再生装置。
【請求項１６】
請求項６に記載の記録再生装置において、前記判定手段は、前記ストリームが複数種類のストリームが結合してなる結合ストリームであるかどうかを判定可能とし、前記機能制御手段は、前記判定手段により前記ストリームが結合ストリームであると判定された場合、前記ダビング機能を制御して、前記ストリームのダビングを禁止することを特徴とする記録再生装置。
【発明の詳細な説明】
【技術分野】
【０００１】
本発明は、記録再生装置、より詳細には、外部より入力される映像および音声データを記録媒体に記録し、また、記録媒体から映像および音声データを読み出して出力可能な記録再生装置に関する。
【背景技術】
【０００２】
近年、テレビジョン放送のデジタル化に伴い、番組コンテンツは高画質なＨＤ（Ｈｉｇｈ  Ｄｅｆｉｎｉｔｉｏｎ）映像として提供されるようになっている。このため、ＨＤ映像のコンテンツをそのままハードディスクやＢＤ（Ｂｌｕ−ｒａｙ  Ｄｉｓｃ）等の記録媒体に記録するためのレコーダも製品化されている。また、ＤＶ（Ｄｉｇｉｔａｌ  Ｖｉｄｅｏ）テープに対してＨＤ映像を記録することができるハイビジョンカメラも製品化され、個人レベルでＨＤ映像を扱う環境が整いつつある。
【０００３】
ここで、上記ＢＤやＤＶテープ等のリムーバブルな記録媒体によってコンテンツを記録再生するために、各記録媒体にコンテンツを扱うための規格が定められている。例えば、ＢＤの規格では、デジタル放送のコンテンツを記録するための規格や、アナログ映像をエンコードして記録するための規格が定められている。また、ＤＶテープでは、ＨＤ映像のコンテンツを記録、再生するためにＨＤＶ（Ｈｉｇｈ  Ｄｅｆｉｎｉｔｉｏｎ  Ｖｉｄｅｏ）規格が定められている。
【０００４】
このように、リムーバブルな各記録媒体には、各規格に沿ったストリーム形式でコンテンツが記録される。これらのレコーダは、例えば、ＩＥＥＥ１３９４ケーブル等で相互に接続することにより、レコーダ間でのコンテンツのコピーやムーブが可能となっており、異なる種類の記録媒体同士でのコンテンツのコピーやムーブを行うことも必要となる。
【０００５】
一方、コンテンツをＢＤ等の記録媒体に記録する場合には、コンテンツを管理するための管理情報が作成され、コンテンツと共にこの管理情報の記録を行う。この管理情報には、コンテンツのストリーム形式の情報も記録されており、これによって記録されたコンテンツのストリーム形式が容易に判定できるため、ストリーム形式に合った表示、再生、及び編集等が可能となる。
【０００６】
また、これらの記録媒体に対してデジタル放送を記録する場合には、放送ストリームの中から所望のプログラム（チャンネル）だけを抜き出して記録することが一般的であり、例えば、特許文献１には、複数のデータが時分割多重された信号の中から１つのデータを抜き出して記録するための技術が開示されている。また、特許文献２には、番組の記録・再生に必要な情報の抽出、入手を容易にするための技術が開示されている。
【特許文献１】特開平１１−２７５５１９号公報
【特許文献２】特開２００１−２１８１４３号公報
【発明の開示】
【発明が解決しようとする課題】
【０００７】
ここで、例えば、ＨＤＶ規格のような特定の規格によるストリーム形式のコンテンツをレコーダにより記録媒体に記録した場合、その後の編集等の処理は規格に沿った方法で行わなければならない。つまり、規格による制限により自由にストリームの処理が行えないといった問題がある。上述した特許文献１や特許文献２で開示されている技術は、プログラムや番組のデータ単位でストリームの抽出を行うものであり、特定の規格による制限を回避するものではない。
【０００８】
また、記録媒体の規格によっては、特定のストリーム形式のコンテンツがそのまま記録できないことがある。例えば、ＢＤにＨＤＶ規格のコンテンツをそのまま記録しようとした場合、ＢＤの管理情報のうち特定のフィールドがｒｅｓｅｒｖｅｄとなっているため記録ができないといった問題がある。
【０００９】
また、コンテンツを記録する記録媒体がＢＤ等のリムーバブルな記録媒体である場合には、コンテンツの管理情報の記録方法が規格により規定されている。このため、管理情報へのストリーム形式の記録に対しても、ストリーム形式に対応する特定コードが特定領域に記録される。この際、規格に定められていないストリーム形式のコンテンツを記録する場合には、ストリーム形式に対応する特定コードがないために、ストリーム形式を管理情報に記録することができない。そのため、記録されたコンテンツのストリーム形式が容易に判断できないため、ストリーム形式に合った表示、再生、及び編集等が困難になるといった問題がある。
【００１０】
本発明は、上述のごとき実情に鑑みてなされたものであり、記録媒体上での記録方法が規定されていないストリーム形式を判定するための情報を当該記録媒体上の所定の領域に記録できるようにすること、を目的としている。
【課題を解決するための手段】
【００１１】
上記課題を解決するために、本発明の第１の技術手段は、コンテンツのストリームを記録／再生する記録再生装置において、入力ストリームを記録媒体に書き込んで記録する記録媒体書込制御手段と、前記入力ストリームが予め定められた形式のストリームであるかどうか判定する判定手段とを備え、前記記録媒体書込制御手段は、前記判定手段により前記入力ストリームが予め定められた形式のストリームであると判定された場合、その形式のストリームを記録することを示す管理情報を前記記録媒体に書き込むことを特徴としたものである。
【００１２】
第２の技術手段は、第１の技術手段において、前記記録媒体書込制御手段は、前記管理情報を前記記録媒体の所定の領域に書き込むことを特徴としたものである。
【００１３】
第３の技術手段は、コンテンツのストリームを記録／再生する記録再生装置において、ストリームと該ストリームに関する管理情報とを記録した記録媒体と、該記録媒体に記録されている管理情報に基づいてストリームの種別を判定する判定手段とを備え、前記判定手段は、前記記録媒体に記録されているストリームの種別として、予め定められた形式で入力されたストリームであるかどうかを判定することを特徴としたものである。
【００１４】
第４の技術手段は、コンテンツのストリームを記録／再生する記録再生装置において、ストリームと該ストリームに関する管理情報とを記録した記録媒体と、該記録媒体に記録されている管理情報に基づいてストリームの種別を判定する判定手段とを備え、前記判定手段は、前記記録媒体に記録されているストリームの種別として、入力ストリームから映像ストリームと音声ストリームのみからなるストリームに変換されたストリームであるか、入力ストリームから変換されていないストリームであるかを判定することを特徴としたものである。
【００１５】
第５の技術手段は、第３又は第４の技術手段において、前記管理情報は、前記記録媒体の所定の領域に記録されていることを特徴としたものである。
【００１６】
第６の技術手段は、第３乃至第５のいずれか１の技術手段において、前記判定手段による判定結果に基づいて、ストリームに関する情報を表示する表示機能、ストリームを編集する編集機能、ストリームを再生する再生機能、ストリームを外部に出力する出力機能、ストリームをダビングするダビング機能のいずれか１又は複数の機能を制御する機能制御手段を備えていることを特徴としたものである。
【００１７】
第７の技術手段は、第６の技術手段において、前記機能制御手段は、前記判定手段により前記ストリームが予め定められた形式で入力されたストリームであると判定された場合、前記表示機能を制御して、前記判定結果を示す情報を画面上に表示することを特徴としたものである。
【００１８】
第８の技術手段は、第６の技術手段において、前記機能制御手段は、前記判定手段により前記ストリームが予め定められた形式で入力され且つ入力時から変換されていないストリームであると判定された場合、前記表示機能を制御して、前記ストリームに含まれるタイムコードを画面上に表示することを特徴としたものである。
【００１９】
第９の技術手段は、第６の技術手段において、前記機能制御手段は、前記判定手段により前記ストリームが予め定められた形式で入力され且つ入力時から変換されていないストリームであると判定された場合、前記表示機能を制御して、前記ストリームに含まれる該ストリームを記録したときの日時情報を画面上に表示することを特徴としたものである。
【００２０】
第１０の技術手段は、第６の技術手段において、前記機能制御手段は、前記判定手段により前記ストリームが予め定められた形式で入力され且つ入力時から変換されていないストリームであると判定された場合、前記編集機能を制御して、前記ストリームへの編集を禁止することを特徴としたものである。
【００２１】
第１１の技術手段は、第６の技術手段において、前記ストリームは、該ストリームの属性データを保持する補助ストリームを有し、前記機能制御手段は、前記判定手段により前記ストリームが予め定められた形式で入力され且つ入力時から変換されていないストリームであると判定された場合、前記編集機能を制御して、前記予め定められた形式に合致するように前記補助ストリームを修正しながら前記ストリームの編集を行うことを特徴としたものである。
【００２２】
第１２の技術手段は、第６の技術手段において、前記機能制御手段は、前記判定手段により前記ストリームが予め定められた形式で入力され且つ入力時から変換されていないストリームであると判定された場合、前記再生機能を制御して、前記ストリームに含まれるタイムコードの再生位置情報に基づいて前記ストリームの再生を行うことを特徴としたものである。
【００２３】
第１３の技術手段は、第６の技術手段において、前記機能制御手段は、前記判定手段により前記ストリームが予め定められた形式で入力されたストリームであると判定された場合、前記出力機能を制御して、前記ストリームの外部への出力を禁止することを特徴としたものである。
【００２４】
第１４の技術手段は、第６の技術手段において、前記機能制御手段は、前記ストリームの出力先となる機器が前記予め定められた形式のストリームに対応しているかどうか判定可能とし、前記判定手段により前記ストリームが予め定められた形式で入力され且つ入力時から変換されていないストリームであると判定された場合、前記出力機能を制御して、前記予め定められた形式のストリームに対応した機器以外への出力を禁止することを特徴としたものである。
【００２５】
第１５の技術手段は、第６の技術手段において、前記ストリームは、該ストリームの属性データを保持する補助ストリームを有し、前記機能制御手段は、前記判定手段により前記ストリームが予め定められた形式で入力されたストリームであると判定された場合、前記出力機能を制御して、前記補助ストリームを修正あるいは生成することにより、前記予め定められた形式に合致するように前記ストリームを変換して出力することを特徴としたものである。
【００２６】
第１６の技術手段は、第６の技術手段において、前記判定手段は、前記ストリームが複数種類のストリームが結合してなる結合ストリームであるかどうかを判定可能とし、前記機能制御手段は、前記判定手段により前記ストリームが結合ストリームであると判定された場合、前記ダビング機能を制御して、前記ストリームのダビングを禁止することを特徴としたものである。
【発明の効果】
【００２７】
本発明によれば、コンテンツのストリームを記録／再生する記録再生装置において、記録媒体上での記録方法が規定されていないストリーム形式を判定するための情報を当該記録媒体上の所定の領域に記録できるため、記録媒体上での記録方法の規定にかかわらず、様々な形式のストリームを記録できるようになる。
【発明を実施するための最良の形態】
【００２８】
以下、図面を参照しつつ、本発明の実施の形態について説明する。なお、以下の説明では、同一の機能を有する部分には同一の符号を付し、それらについての繰り返しの説明は省略する。
【００２９】
＜第１の実施の形態＞
図１は、本発明の第１の実施の形態に係る記録再生装置の構成例を示すブロック図である。記録再生装置１０は、入出力インタフェース１１と、ストリーム情報抽出部１２と、ストリーム情報解析部１３と、ストリーム変換制御部１４と、ストリーム変換処理部１５と、管理情報生成部１６と、記録媒体書込制御部１７と、を含んで構成されている。
【００３０】
入出力インタフェース１１は、記録再生装置１０の外部から記録すべきストリーム（例えば、ＭＰＥＧ２−ＴＳなど）の入力を受け付ける。本実施形態ではＩＥＥＥ１３９４のインタフェースとしているが、他のインタフェースでもかまわない。例えば、ＴＣＰ／ＩＰインタフェースによってストリームを入力する態様でもかまわないし、デジタル放送チューナを備え、チューナからストリームを入力する態様でもかまわない。
【００３１】
入出力インタフェース１１から入力されたストリームは、ストリーム情報抽出部１２に送られる。ここでは、入力されたストリームから、ストリームの特徴を示す情報を抽出する。ストリームの特徴を示す情報とは、具体的には、例えば、ストリームに含まれるＭＰＥＧ２−ＴＳのセクション情報、各ＥＳ（Ｅｌｅｍｅｎｔａｒｙ  Ｓｔｒｅａｍ）に含まれる映像アスペクト情報や音声多重情報などである。
【００３２】
ストリーム情報抽出部１２で抽出された情報は、ストリーム情報解析部１３に送られる。ストリーム情報解析部１３では、抽出された情報を解析し、解析結果に基づいて後段のストリーム変換制御部１４と管理情報生成部１６の制御を行う。このストリーム情報解析部１３が本発明の判定手段に該当する。
【００３３】
ストリーム変換制御部１４は、ストリーム情報解析部１３からの指示に基づき、ストリーム変換処理部１５を制御する。ストリーム変換処理部１５は、ストリーム変換制御部１４の制御によって、入力ストリームの変換処理を行い、その変換したストリームを記録媒体書込制御部１７に渡す。変換処理の内容は、例えば、入力ストリームから映像ストリームと音声ストリーム以外のストリームを削除したり、入力ストリームのセクション情報の書き換えを行うなどである。また、この制御によって、入力ストリームの変換を行わず、そのままの形で記録媒体書込制御部１７に渡すことも可能である。
【００３４】
管理情報生成部１６は、ストリーム情報解析部１３からの指示に基づき、記録媒体１８に書き込むべき管理情報を生成し、記録媒体書込制御部１７に渡す。
【００３５】
記録媒体書込制御部１７は、ストリーム変換処理部１５から渡されたストリームと、管理情報生成部１６から渡された管理情報を記録媒体１８に対して書き込む。本実施形態では、ＢＤ（Ｂｌｕ−ｒａｙ  Ｄｉｓｃ）への記録を例にとって説明する。
【００３６】
ここで、ＨＤＶストリームについて簡単に説明する。ＨＤＶ規格は、ＤＶテープに対してハイビジョン映像を記録するための規格であり、ＨＤ１（７２０ｐ）とＨＤ２（１０８０ｉ）の２種類が存在する。ここでは、ＨＤ２形式のストリームを代表例として説明する。以下、単に「ＨＤＶ」と呼ぶ場合は、ＨＤ２形式のＨＤＶストリームを指すものとする。ＨＤＶ規格はＤＶテープ上の記録規格と、ＩＥＥＥ１３９４方式のネットワークで伝送する際に構成するＭＰＥＧ２−ＴＳ（Ｔｒａｎｓｐｏｒｔ  Ｐａｃｋｅｔ）の形式が定められており、本実施形態で扱うのはＭＰＥＧ２−ＴＳ形式のストリームである。ＨＤＶストリームは、映像ストリーム、音声ストリーム、映像用の補助データが記録されたストリーム（Ａｕｘ−Ｖ）、音声用の補助データが記録されたストリーム（Ａｕｘ−Ａ）から構成される。このうち、上記２本の補助ストリームはなくとも、映像および音声を再生することは可能である。上記補助データとは、例えば、後述するストリームのタイムコードや録画時刻などの属性データのことをいう。
【００３７】
ここで、入力ストリームがＨＤＶストリームであることの判定は、Ｒｅｇｉｓｔｒａｔｉｏｎ  Ｄｅｓｃｒｉｐｔｏｒによって可能である。Ｒｅｇｉｓｔｒａｔｉｏｎ  Ｄｅｓｃｒｉｐｔｏｒは、ストリームの種別を識別するために用いられるディスクリプタであり、ＨＤＶストリームにおいては、特定のパラメータを含むＲｅｇｉｓｔｒａｔｉｏｎ  Ｄｅｓｃｒｉｐｔｏｒをセクション情報に含むことが規格で定められている。
【００３８】
続いて、記録再生装置１０を構成する主要構成要素の動作例を詳しく説明するが、ここでは、受け入れるストリームをＨＤＶストリームまたはＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）準拠のパーシャルＴＳのいずれかとして説明する。そして、ＨＤＶストリーム入力として受け入れた際に、映像ストリームと音声ストリームだけのストリームに変換して記録する場合を例にとる。以下、映像ストリームと音声ストリームだけのストリームに変換して記録する方式を「ＡＶＯｎｌｙモード」、入力ストリームのまま記録する形式を「Ｔｒａｎｓｐａｒｅｎｔモード」と呼ぶ。
【００３９】
ストリーム情報解析部１３は、ストリーム情報抽出部１２から、受け入れたストリームに含まれるセクション情報を受け取り、そのセクション情報を解析する。
【００４０】
図２は、ストリーム情報解析部１３の動作例を説明するためのフロー図である。まず、ストリーム情報解析部１３は、抽出したセクション情報にＲｅｇｉｓｔｒａｔｉｏｎ  Ｄｅｓｃｒｉｐｔｏｒが含まれているかどうかを判定する（ステップＳ１）。Ｒｅｇｉｓｔｒａｔｉｏｎ  Ｄｅｓｃｒｉｐｔｏｒが含まれている場合（ＹＥＳの場合）、ステップＳ２へ進む。含まれていない場合（ＮＯの場合）、ステップＳ５へ進む。
【００４１】
ストリーム情報解析部１３は、上記ステップＳ１において、Ｒｅｇｉｓｔｒａｔｉｏｎ  Ｄｅｓｃｒｉｐｔｏｒが含まれていると判定した場合（ＹＥＳの場合）、Ｒｅｇｉｓｔｒａｔｉｏｎ  Ｄｅｓｃｒｉｐｔｏｒのパラメータチェックを行う（ステップＳ２）。ここでチェックされたパラメータが、ＨＤＶ規格で定められた値に合致する場合（ＹＥＳの場合）、ステップＳ３に進む。合致しない場合（ＮＯの場合）、ステップＳ４に進む。
【００４２】
ストリーム情報解析部１３は、ステップＳ３〜Ｓ５において、判定結果を後段のストリーム変換制御部１４と管理情報生成部１６に通知する。上記ステップＳ２において、チェックされたパラメータがＨＤＶ規格で定められた値に合致する場合（ＹＥＳの場合）、その判定結果はＨＤＶストリームであり、その旨を通知する（ステップＳ３）。また、上記ステップＳ２において、チェックされたパラメータがＨＤＶ規格で定められた値に合致しない場合（ＮＯの場合）、その判定結果はＨＤＶでもＡＲＩＢ準拠ストリームでもない不明ストリームであり、その旨を通知する（ステップＳ４）。
【００４３】
また、ストリーム情報解析部１３は、上記ステップＳ１において、Ｒｅｇｉｓｔｒａｔｉｏｎ  Ｄｅｓｃｒｉｐｔｏｒが含まれていないと判定した場合（ＮＯの場合）、判定結果はＡＲＩＢ準拠ストリームであり、その旨を通知する（ステップＳ５）。このようにして、ストリーム情報解析部１３は、ストリーム変換制御部１４と管理情報生成部１６に判定結果の通知を行う。この際、抽出されたセクション情報もあわせて伝達される。なお、ステップＳ４では、不明と判定されたストリームの記録を禁止するために、図示しない記録制御部に通知を行うようにしてもよい。
【００４４】
ストリーム変換制御部１４は、ストリーム情報解析部１３から通知された判定結果に基づいて、ストリーム変換処理部１５の制御を行う。ストリーム変換処理部１５に対する制御指示の内容は、「映像ストリームと音声ストリームのみのストリームに変換」（ＡＶＯｎｌｙモード：通知された判定結果がＨＤＶストリームの場合）、「入力ストリームのまま」（Ｔｒａｎｓｐａｒｅｎｔモード）のいずれかである。
【００４５】
ストリーム変換処理部１５では、ストリーム変換制御部１４より、ＡＶＯｎｌｙモードへの変換を指示された際に、ストリーム変換の処理を行う。この際のストリーム変換処理は、例えば以下の方法で実行される。
【００４６】
ＡＶＯｎｌｙモードのストリーム変換では、補助ストリームに対応するＰＩＤ（パケット識別子）をもつパケットを、パケットフィルタリングによって削除する。その他のＰＩＤをもつパケットは、フィルタリングしない。このフィルタリング処理により、補助ストリームは排除され、映像ストリームおよび音声ストリームのみが残ることになる。
【００４７】
また、ストリームの構成を変更したため、ＰＭＴ（Ｐｒｏｇｒａｍ  Ｍａｐ  Ｔａｂｌｅ）パケットのセクション情報の置き換えも行う必要がある。ＰＭＴパケットのセクション情報には、当該ストリームがどのパケットを含んでいるかの情報を持っており、入力されるストリームのＰＭＴパケットが持つセクション情報では、排除した補助ストリームに対応するデータを含んでいるので、このデータを削除する必要がある。
【００４８】
また、ＡＶＯｎｌｙモードに変換することで、ＨＤＶストリームの規格には合致しなくなるため、Ｒｅｇｉｓｔｒａｔｉｏｎ  Ｄｅｓｃｒｉｐｔｏｒは削除する必要がある。これらの補助ストリームに対応するデータとＲｅｇｉｓｔｒａｔｉｏｎ  Ｄｅｓｃｒｉｐｔｏｒを削除したセクション情報を生成し、このセクション情報との置き換えを実施する。
【００４９】
管理情報生成部１６は、記録媒体に記録すべき管理情報の生成を行う。ストリーム情報解析部１３より通知された判定結果により、生成する管理情報が異なる。通知された判定結果がＡＲＩＢ準拠ストリームであった場合には、ＢＤ規格で定められたとおりの管理情報を作成する。
【００５０】
一方、管理情報生成部１６は、通知された判定結果がＨＤＶストリームであった場合には、記録媒体１８の所定の領域（例えば、メーカが自由に値を設定できる領域（以下、メーカ定義領域と呼ぶ））を用いて、ＨＤＶストリームであることを記録する。これには２つの理由があり、ひとつはＢＤ規格にＨＤＶストリームである場合の管理情報の規定がないため、もうひとつは、ＡＶＯｎｌｙモードで記録するストリームは厳密な意味でのＨＤＶストリームではないためである。このメーカ定義領域は、記録再生装置１０が独自に利用可能なように、規格上開放されている領域である。ＨＤＶストリームのＡＶＯｎｌｙモードでの記録時には、上記ＢＤ規格で定められた管理情報に無効な値を入れ、メーカ定義領域にストリーム種別情報を記録する。
【００５１】
図３は、メーカ定義領域に書き込む管理情報のシンタクスの一例を示す図である。このシンタクスでは、複数種類の管理情報を書き込むことが可能であり、図中、「ａｔＤａｔａＭｅｍｂｅｒ（）」で「ｔａｇ」（タグ：管理情報の種類を識別するフィールド）と「ｄａｔａ＿ｐｏｓ」（管理情報を記載している位置）を用いて、ストリーム種別を記載している管理情報の実体にアクセスを可能としている。管理情報の実体は、図中、最下部に記載されている通り、「ｒｅｃｍｏｄｅ」と「ｏｒｇ＿ｓｔｒｍ＿ｔｙｐｅ」のフィールドから構成される。「ｒｅｃｍｏｄｅ」は、ストリームをＡＶＯｎｌｙモードで記録したか、Ｔｒａｎｓｐａｒｅｎｔモードで記録したかを示す。また、「ｏｒｇ＿ｓｔｒｍ＿ｔｙｐｅ」は、オリジナルの入力ストリームの種類を示す符号を格納する。例えば、「ｒｅｃｍｏｄｅ＝ＡＶＯｎｌｙ」、「ｏｒｇ＿ｓｔｒｍ＿ｔｙｐｅ＝ＨＤＶ」と記載されていれば、当該ストリームは、ＨＤＶストリームをＡＶＯｎｌｙモードで、つまり映像と音声だけのストリームに変換して記録したストリームであることを示す。
【００５２】
なお、ここに示したメーカ定義領域のシンタクスはあくまで一例であり、この形に限定されるものではない。また、記録媒体がＢＤでない場合には、当該記録媒体に定められているメーカ定義領域を利用すればよい。
【００５３】
記録媒体書込制御部１７は、ストリーム変換処理部１５から送られるストリームと、管理情報生成部１６から送られる管理情報とを記録媒体１８に書き込む。
【００５４】
このようにして、入力ストリームの種類に応じた変換処理を行い、記録媒体１８に対してストリームの記録を行う。また、同時に、当該ストリームの情報を管理情報として記録する。
【００５５】
なお、本発明の実施の形態としては、ここで説明した入力ストリーム、記録方式、記録媒体に必ずしも限定されるものではない。本実施形態では、オリジナルの入力ストリームが放送ストリームあるいはＨＤＶストリームの場合について説明したが、これらに限定されるものではない。例えば、ＳＥＳＦ（Ｓｅｌｆ−ｅｎｃｏｄｅｄ  ｓｔｒｅａｍ  ｆｏｒｍａｔ）形式や、ＭＴＲＭ（ＭＰＥＧ  Ｔｒａｎｓｐｏｒｔ  ｓｔｒｅａｍ  ｆｏｒ  Ｒｅｃｏｒｄｉｎｇ  Ｍｅｄｉａ）形式に対応することも可能である。また、ＨＤＶストリームをＡＶＯｎｌｙモードではなく、Ｔｒａｎｓｐａｒｅｎｔモードで記録するような方式を選択することも可能である。
【００５６】
さらに、記録媒体１８は、ＢＤではなく、内蔵型のＨＤＤでもよいし、リムーバブルハードディスクドライブであるｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）なども利用可能である。
【００５７】
本実施形態によれば、コンテンツのストリームを記録／再生する記録再生装置において、記録媒体上での記録方法が規定されていないストリーム形式を判定するための情報を当該記録媒体上の所定の領域に記録できるため、記録媒体上での記録方法の規定にかかわらず、様々な形式のストリームを記録できるようになる。
【００５８】
また、予め定められた形式の入力ストリームから映像ストリームと音声ストリームを抽出し、これらのストリームから編集等が自在に行える新たなストリームを作成して記録できるため、様々な形式のストリームに対して表示、再生、編集などを自在に行うことができる。
【００５９】
また、記録媒体に入力ストリームを記録する際に、映像ストリームと音声ストリーム以外の情報を捨てることで、一般的なＭＰＥＧストリーム（例えば、ＭＰＥＧ２−ＴＳなど）の形式とし、入力ストリームの形式にかかわらず、ストリームを自在に取り扱うことができるようになる。
【００６０】
＜第２の実施の形態＞
本発明の第２の実施の形態は、管理情報に記録されたデータをもとに入力ストリームの種別を判定し、その判定結果に基づいた動作を行うものである。
【００６１】
図４は、本発明の第２の実施の形態に係る記録再生装置の構成例を示すブロック図である。記録再生装置２０は、記録媒体読出制御部２１と、管理情報解析部２２と、機能制御部２３と、ストリーム変換処理部２４と、映像出力処理部２５と、入出力インタフェース２６と、記録媒体書込制御部２７と、を含んで構成されている。
【００６２】
以下、図４に基づいて記録再生装置２０の全体的な動作例について説明する。記録媒体読出制御部２１は、記録媒体２８からストリームと管理情報を読み出す。読み出した管理情報は、管理情報解析部２２に渡され、管理情報の解析が行われ、記録されているストリームの種類が判定される。この管理情報解析部２２が本発明の判定手段に該当する。機能制御部２３は、管理情報解析部２２で判定された結果に基づいて、記録再生装置２０が持つさまざまな機能の制御を行う。図４においては、ストリーム変換処理部２４、映像出力処理部２５、入出力インタフェース２６、記録媒体書込制御部２７の制御を行う。
【００６３】
ストリーム変換処理部２４は、機能制御部２３からの指示に基づき、後述するストリーム変換処理を行う。映像出力処理部２５は、ストリームを映像信号に変換し、外部モニタ３０に出力する。また、ユーザに対して示す管理情報のオーバレイを行う。入出力インタフェース２６は、機能制御部２３からの指示に基づき、記録再生装置２０の外部に対して、ＭＰＥＧ２−ＴＳを出力する。なお、本実施形態ではＩＥＥＥ１３９４のインタフェースとしているが、他のインタフェースでもかまわない。例えば、ＴＣＰ／ＩＰインタフェースによってストリームを出力する態様でもかまわない。記録媒体書込制御部２７は、機能制御部２３からの指示に基づき、記録媒体２８へのストリームと管理情報の記録を制御する。
【００６４】
次に、記録再生装置２０を構成する主要構成要素の動作例を詳しく説明する。図５及び図６は、管理情報解析部２２の動作例を説明するためのフロー図である。図５はＰｌａｙＬｉｓｔのストリーム種別を判定する処理の流れの一例について説明するためのフロー図で、図６はＰｌａｙＩｔｅｍのストリーム種別を判定する処理の流れの一例について説明するためのフロー図である。ここで、ＢＤにおけるＰｌａｙＬｉｓｔとは、複数のＰｌａｙＩｔｅｍから構成されるストリーム列であり、各ＰｌａｙＩｔｅｍがそれぞれストリーム種別を持つため、ＰｌａｙＬｉｓｔのストリーム種別の判定にあたっては、構成している各ＰｌａｙＩｔｅｍの判定結果を用いて、総合的に判定する必要がある。
【００６５】
図５において、まず、管理情報解析部２２は、管理情報内の判定結果を格納する記憶領域を初期化（判定結果＝不明）する（ステップＳ１１）。次に、ＰｌａｙＬｉｓｔにＰｌａｙＩｔｅｍが残っているかどうかを判定し（ステップＳ１２）、ループ脱出の判定条件である、すべてのＰｌａｙＩｔｅｍの判定が完了している場合（ＮＯの場合）、判定処理を終了する。一方、未判定のＰｌａｙＩｔｅｍが残っている場合（ＹＥＳの場合）、各ＰｌａｙＩｔｅｍについてストリーム種別の判定を行う（ステップＳ１３）。そして、その判定結果に応じて、ステップＳ１４〜Ｓ１６のいずれかに進む。ステップＳ１４〜Ｓ１６では、それまでのＰｌａｙＩｔｅｍを判定した結果と突合せて、総合的な判定結果を生成する。
【００６６】
ステップＳ１４〜Ｓ１６において、判定したＰｌａｙＩｔｅｍがすべて同種であった場合、ステップＳ１７〜Ｓ１９に進む。一方、異なる種別のＰｌａｙＩｔｅｍが混在する場合、ステップＳ２０に進み、当該ＰｌａｙＬｉｓｔは異なる種別のストリームが混在するという判定結果を生成する。なお、ステップＳ１３において、ＰｌａｙＩｔｅｍの判定が「不明」となった場合（ＮＯの場合）、想定外の結果として、ＰｌａｙＬｉｓｔ全体の判定結果を「不明」とし（ステップＳ２１）、そのまま終了する。以下、ステップＳ１３以降の各ステップについて詳細に説明する。
【００６７】
管理情報解析部２２は、上記ステップＳ１３において、ＰｌａｙＩｔｅｍのストリーム種別が「ＨＤＶ  Ｔｒａｎｓｐａｒｅｎｔ」と判定した場合（図中、ＨＤＶ  Ｔｒａｎｓｐａｒｅｎｔの場合）、ここまでのＰｌａｙＩｔｅｍの判定結果が全て同種のＨＤＶ  Ｔｒａｎｓｐａｒｅｎｔであったか、または最初のＰｌａｙＩｔｅｍであるかを判定する（ステップＳ１４）。ＹＥＳの場合、当該ＰｌａｙＬｉｓｔのストリーム種別はＨＤＶ  Ｔｒａｎｓｐａｒｅｎｔであると判定する（ステップＳ１７）。また、上記ステップＳ１４において、異なる種別のＰｌａｙＩｔｅｍが混在する場合（ＮＯの場合）、当該ＰｌａｙＬｉｓｔは異なる種別のストリームが混在するという判定結果を生成する（ステップＳ２０）。
【００６８】
また、管理情報解析部２２は、上記ステップＳ１３において、ＰｌａｙＩｔｅｍのストリーム種別が「ＨＤＶ  ＡＶＯｎｌｙ」と判定した場合（図中、ＨＤＶ  ＡＶＯｎｌｙの場合）、ここまでのＰｌａｙＩｔｅｍの判定結果が全て同種のＨＤＶ  ＡＶＯｎｌｙであったか、または最初のＰｌａｙＩｔｅｍであるかを判定する（ステップＳ１５）。ＹＥＳの場合、当該ＰｌａｙＬｉｓｔのストリーム種別はＨＤＶ  ＡＶＯｎｌｙであると判定する（ステップＳ１８）。また、上記ステップＳ１５において、異なる種別のＰｌａｙＩｔｅｍが混在する場合（ＮＯの場合）、当該ＰｌａｙＬｉｓｔは異なる種別のストリームが混在するという判定結果を生成する（ステップＳ２０）。
【００６９】
また、管理情報解析部２２は、上記ステップＳ１３において、ＰｌａｙＩｔｅｍのストリーム種別が「ＡＲＩＢ」と判定した場合（図中、ＡＲＩＢの場合）、ここまでのＰｌａｙＩｔｅｍの判定結果が全て同種のＡＲＩＢであったか、または最初のＰｌａｙＩｔｅｍであるかを判定し（ステップＳ１６）、ＹＥＳの場合、当該ＰｌａｙＬｉｓｔのストリーム種別はＡＲＩＢであると判定する（ステップＳ１９）。また、上記ステップＳ１６において、異なる種別のＰｌａｙＩｔｅｍが混在する場合（ＮＯの場合）、当該ＰｌａｙＬｉｓｔは異なる種別のストリームが混在するという判定結果を生成する（ステップＳ２０）。
【００７０】
図５における各ＰｌａｙＩｔｅｍの判定処理において、前述した第１の実施の形態で説明したメーカ定義領域に記録した管理情報（ストリーム種別情報を含む）を用いる。これについて、下記の図６に基づいて説明する。
【００７１】
図６において、まず、管理情報解析部２２は、判定対象のＰｌａｙＩｔｅｍに対応する規格に定められた領域上の管理情報からストリーム種別に関するデータ（ストリーム種別情報）を読み出し、パラメータをチェックする（ステップＳ３１）。パラメータチェックの結果、ＡＲＩＢ準拠のストリームに対応するものだった場合（図中、ＡＲＩＢの場合）、そのＰｌａｙＩｔｅｍをＡＲＩＢであると判定する（ステップＳ３７）。また、上記ステップＳ３１において、ＡＲＩＢに対応するパラメータでなかった場合（図中、ＡＲＩＢ以外の場合）、メーカ定義領域上の管理情報からデータを読み出し、ｏｒｇ＿ｓｔｒｍ＿ｔｙｐｅの値をチェックする（ステップＳ３２）。この値がＨＤＶストリームを示す符号であった場合（図中、ＨＤＶを示す符号の場合）、元ストリームはＨＤＶストリームであると判断し、ステップＳ３３に進む。また、上記ステップＳ３２において、上記値がＨＤＶストリームを示す符号でなかった場合（図中、ＨＤＶを示す符号以外の場合）、あるいはメーカ定義領域が存在しない場合、想定外であるので、ストリーム種別は「不明」と判定する（ステップＳ３６）。
【００７２】
次に、管理情報解析部２２は、上記ステップＳ３２において、ｏｒｇ＿ｓｔｒｍ＿ｔｙｐｅの値がＨＤＶストリームを示す符号であった場合（図中、ＨＤＶを示す符号の場合）、ｒｅｃｍｏｄｅの値をチェックし（ステップＳ３３）、チェックの結果がＨＤＶ  Ｔｒａｎｓｐａｒｅｎｔの場合（図中、Ｔｒａｎｓｐａｒｅｎｔの場合）、ストリーム種別はＨＤＶ  Ｔｒａｎｓｐａｒｅｎｔであると判定する（ステップＳ３４）。一方、上記ステップＳ３３において、チェックの結果がＨＤＶ  ＡＶＯｎｌｙの場合（図中、ＡＶＯｎｌｙの場合）、ストリーム種別はＨＤＶ  ＡＶＯｎｌｙであると判定する（ステップＳ３５）。
【００７３】
なお、本発明の第２の実施の形態において、メーカ定義領域のシンタクスはあくまで一例であり、この形に限定されるものではない。記録したときのシンタクスと、判定時のシンタクスが一致していればよい。また、ここではオリジナルの入力ストリームがＡＲＩＢ準拠ストリームまたはＨＤＶストリームであるとして説明したが、この２種類のストリーム以外の他のストリームに対応することもできる。その場合は、図６に示すステップＳ３１、ステップＳ３２での判定処理において、各ストリームに対応する判定が行われる。
【００７４】
管理情報解析部２２で判定された結果は、機能制御部２３に渡される。機能制御部２３では、ストリーム変換処理部２４を制御して、記録媒体２８に格納されたストリームを出力用に変換する。また、最後段の出力部（映像出力処理部２５、入出力インタフェース２６、記録媒体書込制御部２７）を制御して、表示、再生、出力、編集、ダビング等の機能を実現する。
【００７５】
ストリーム変換処理部２４では、入出力インタフェース２６での出力や、他の記録媒体での記録に適した形式にストリームの変換を行う。ここでは２種類の変換処理について下記に説明する。
【００７６】
まず、一つ目は、補助ストリームの修正である。例えば、ＨＤＶ  Ｔｒａｎｓｐａｒｅｎｔモードのストリームを、ＴＳの編集では一般的な、ＧＯＰ単位での削除によってシーン消去していた場合、編集点付近で補助ストリームが不整合を起こしている場合がある。これをそのまま出力した場合には規格違反となる恐れがあるので、編集点付近で補助ストリームに書かれているデータを修正する。
【００７７】
二つ目は、補助ストリームの生成である。例えば、ＨＤＶ  ＡＶＯｎｌｙモードのストリームは、補助ストリームを削除して映像ストリームと音声ストリームのみに変換されており、これはＨＤＶストリームとはいえない。そこで、補助ストリームを生成しながら再多重化することで、ＨＤＶストリームに再変換を行う。この場合、オリジナルのＨＤＶストリームの補助ストリームに記録されていた属性データ（例えば、タイムコードや録画時刻など）は失われるが、ＨＤＶ規格のストリームとして、外部に出力することが可能となる。また上記２種類の変換のほか、ストリームを変換しないことも選択できる。
【００７８】
次に、本発明の実施の形態に係る表示機能の制御について説明する。映像出力処理部２５は、機能制御部２３の制御に基づき、外部モニタ３０上に表示する映像および情報を生成する。例えば、この種の記録再生装置においては、記録媒体に記録されているコンテンツ一覧の表示機能を一般的な機能として備えているが、管理情報解析部２２において、ストリームがＨＤＶであると判定されているコンテンツに対して、当該コンテンツはＨＤＶストリームであることを示すアイコンなどを表示する。
【００７９】
また、本発明の実施の形態に係る表示機能の制御の別の例としては、ＨＤＶ補助ストリーム上に記されているタイムコードおよび録画時刻情報を表示するようにしてもよい。タイムコードとは、ＨＤＶストリームの補助ストリーム上に記述されているカウンタ値のことである。録画時刻情報は、ＨＤＶストリームの補助ストリーム上に、そのストリームが撮影されたときの日付・時刻情報を保持したものである。管理情報解析部２２において、ストリームがＨＤＶ  Ｔｒａｎｓｐａｒｅｎｔモードと判定されている場合、補助ストリームに記載のタイムコード（カウンタ値）をコンテンツ再生中に画面上へ表示する。あるいは、コンテンツ再生中や上述したコンテンツ一覧表示中に、補助ストリームに記載の録画時刻情報を表示する。
【００８０】
次に、本発明の実施の形態に係る再生機能の制御について説明する。管理情報解析部２２において、ストリームがＨＤＶ  Ｔｒａｎｓｐａｒｅｎｔモードであると判定された場合、機能制御部２３は、記録媒体読出制御部２１と映像出力処理部２５を制御する。例えば、図示しないユーザインタフェースから、タイムコードによる再生位置指定が行われた場合に、指定されたタイムコードの再生位置にジャンプしてストリームの再生を開始する。
【００８１】
次に、本発明の実施の形態に係る出力機能の制御について説明する。入出力インタフェース２６は、機能制御部２３の制御に基づき、記録再生装置２０の外部へストリームを送出する。例えば、管理情報解析部２２において、ストリームがＨＤＶであると判定された場合、機能制御部２３は、入出力インタフェース２６に対して、ストリームの送出を禁止する。
【００８２】
また、本発明の実施の形態に係る出力機能の制御の別の例としては、入出力インタフェース２６からストリームを送出しようとする相手の機器がＨＤＶ対応機器であるかどうかの判定機能を備えるようにしてもよい。この例では、管理情報解析部２２において、ストリームがＨＤＶ  Ｔｒａｎｓｐａｒｅｎｔモードであると判定された場合、機能制御部２３は、入出力インタフェース２６に対して、ＨＤＶ対応機器以外へのストリーム送出を禁止するように制御する。入出力インタフェース２６は、相手機器がＨＤＶ対応機器である場合にのみストリームを送出し、ＨＤＶ対応機器でない場合には、ストリーム送出を行わない。
【００８３】
また、本発明の実施の形態に係る出力機能の制御の別の例としては、管理情報解析部２２において、ストリームがＨＤＶ  ＡＶＯｎｌｙモードであると判定された場合、機能制御部２３は、入出力インタフェース２６の制御に加え、上述したストリーム変換処理部２４の制御を行って補助ストリームを修正あるいは生成し、ＨＤＶ規格のストリームに再変換した上で外部機器に出力する。
【００８４】
次に、本発明の実施の形態に係る編集機能の制御について説明する。この種の記録再生装置２０における一般的なＭＰＥＧ２−ＴＳストリームの編集機能としては、ＧＯＰ単位でのストリーム削除によるシーン消去機能が挙げられる。本発明の実施の形態においては、記録媒体書込制御部２７を制御することで、ＧＯＰ単位でのストリーム削除を実現する。
【００８５】
ここで、例えば、管理情報解析部２２において、ストリームがＨＤＶ  Ｔｒａｎｓｐａｒｅｎｔモードであると判定された場合、機能制御部２３は、記録媒体書込制御部２７に対して、編集禁止の指示を出す。これにより、ＨＤＶ規格に違反した編集済みストリームが作成されることを防ぐことができる。
【００８６】
また、編集機能の制御の別の例としては、管理情報解析部２２において、ストリームがＨＤＶ  Ｔｒａｎｓｐａｒｅｎｔモードであると判定された場合、機能制御部２３は、ストリーム変換処理部２４に対して、補助ストリームを修正してＨＤＶ規格に合致する編集済みストリームに変換するように指示を行い、また、記録媒体書込制御部２７においてＧＯＰ単位でのストリームの削除を指示する。これにより、ＨＤＶ規格に違反しない編集済みストリームを作成することができる。
【００８７】
次に、本発明の実施の形態に係るダビング機能の制御について説明する。ダビング機能は、記録媒体読出制御部２１によってストリームを読み出し、ストリーム変換処理部２４を経由して、記録媒体書込制御部２７によって別の記録媒体に書き込むことで実現する。特に、高速ダビングと呼ばれるダビング手法では、ストリーム変換処理部２４で読み出したストリームを再エンコードすることなく記録媒体書込制御部２７によって別の記録媒体に書き込む。
【００８８】
ここで、記録媒体によってはストリーム記録の際の形式が異なるため、ストリームの種別によっては読み出したストリームをそのまま記録できない場合があり、この制御を機能制御部２３によって行う。例えば、管理情報解析部２２において、ダビングしようとするコンテンツが混在ストリーム（すなわち、複数種類のストリームが結合してなる結合ストリーム）であると判定された場合、機能制御部２３は、記録媒体書込制御部２７に対して、書込禁止の指示を出す。
【００８９】
なお、本発明の実施の形態としては、ここで説明した入力ストリーム、記録方式、記録媒体に必ずしも限定されるものではない。例えば、記録するストリームはＨＤＶストリームに限らず、ＭＰＥＧ２−ＴＳ形式の特殊な他の規格に準拠したストリームであってもかまわない。また、記録媒体はＢＤではなく、内蔵型のＨＤＤでもよいし、リムーバブルハードディスクドライブであるｉＶＤＲなども利用可能である。また、ここでの説明は、オリジナルの入力ストリームが放送ストリームあるいはＨＤＶストリームの場合について説明したが、これらに限定されるものではない。例えば、ＳＥＳＦ形式や、ＭＴＲＭ形式などに対応することも可能である。
【００９０】
本実施形態によれば、記録媒体に記録されたオリジナルストリームがどの種別のストリームであったかに関する情報を記録することで、そのストリーム種別に応じた、表示機能、出力機能、再生機能、編集機能、ダビング機能等の各機能の制御を適切に行うことができるようになる。
【図面の簡単な説明】
【００９１】
【図１】本発明の第１の実施の形態に係る記録再生装置の構成例を示すブロック図である。
【図２】ストリーム情報解析部の動作例を説明するためのフロー図である。
【図３】メーカ定義領域に書き込む管理情報のシンタクスの一例を示す図である。
【図４】本発明の第２の実施の形態に係る記録再生装置の構成例を示すブロック図である。
【図５】ＰｌａｙＬｉｓｔのストリーム種別を判定する処理の流れの一例について説明するためのフロー図である。
【図６】ＰｌａｙＩｔｅｍのストリーム種別を判定する処理の流れの一例について説明するためのフロー図である。
【符号の説明】
【００９２】
１０，２０…記録再生装置、１１，２６…入出力インタフェース、１２…ストリーム情報抽出部、１３…ストリーム情報解析部、１４…ストリーム変換制御部、１５，２４…ストリーム変換処理部、１６…管理情報生成部、１７，２７…記録媒体書込制御部、１８…記録媒体、２１…記録媒体読出制御部、２２…管理情報解析部、２３…機能制御部、２５…映像出力処理部、３０…モニタ。
【図１】
2008251158.tif 000003
【図２】
2008251158.tif 000004
【図３】
2008251158.tif 000005
【図４】
2008251158.tif 000006
【図５】
2008251158.tif 000007
【図６】
2008251158.tif 000008